(57)【要約】【課題】既納品のエレベーターに対して、少ない加工で設置でき、保守作業を容易に行えるエレベータ一のかご内映像記録装置を提供する。【解決手段】エレベーターのかご１内の天井２に設置される監視カメラ４が撮影したかご内の映像データを、着脱自在な記録媒体５Ａへ記録する記録装置５を備えたエレベーターのかご内映像記録装置３において、上面７Ａに配線用の開口部７Ａａと下面７Ｂにカメラ装着穴７Ｂａを有し、監視カメラ４と記録装置５と電源装置６を取り付け、上面７Ａに天井２に設けたカメラ取り付け穴に間挿されるビス１０を螺着するねじ部７Ａｂを有する取り付け部７と、取り付け部７の下面７Ｂから下方へ所定長延在する複数本のスタッドボルト７Ｂｂの下端に着脱自在に締結され、上面が開放された円柱状の筒体形状の底面８Ａの中央部には、監視カメラ４を間挿するカメラ間挿穴８Ａａを有し、取り付け部７及び監視カメラ４の大部分を覆う外部カバー８とを備えた。【選択図】図１
2015016939.tif 000002
【特許請求の範囲】
【請求項１】
エレベーターのかご内の天井に設置され、頂部に固定用のカメラねじ部を有する監視カメラと、この監視カメラが撮影したかご内の映像データを、着脱自在な記録媒体へ記録する記録装置と、前記天井に設けた通線用穴と、を備えたエレベーターのかご内映像記録装置において、
上面に配線用の開口部と下面にカメラ装着穴を有する概直方体形状を成し、前記監視カメラと前記記録装置と電源装置を取り付けるとともに、上面に前記天井に設けたカメラ取り付け穴に間挿されるビスを螺着するねじ部を有する取り付け部と、
この取り付け部の下面から下方へ所定長延在する複数本のスタッドボルトの下端に着脱自在に締結され、上面が開放された円柱状の筒体形状を成し、底面の中央部には、前記監視カメラを間挿するカメラ間挿穴を有し、前記取り付け部及び前記監視カメラの大部分を覆う外部カバーと、
を備えたことを特徴とするエレベーターのかご内映像記録装置。
【請求項２】
請求項１記載のエレベーターのかご内映像記録装置において、
前記取り付け部の上面に設けられる配線用の前記開口部は、前記天井の前記通線用穴より大きくするとともに、前記取り付け部の上面に設けられる前記ねじ部は、前記取り付け部の側面より外側に所定長延在する縁面部に設けられ、前記監視カメラは、前記スタッドボルトの長さと前記外部カバーの高さ寸法により、前記外部カバーの底面に設けた前記カメラ間挿穴より、所定寸法突出させたことを特徴とするエレベーターのかご内映像記録装置。
【発明の詳細な説明】
【技術分野】
【０００１】
本発明は、エレベーターのかご内映像記録装置に関する。
【背景技術】
【０００２】
エレベーター乗りかご内の状況を撮影し、記録装置へ記録するエレベーターのかご内映像記録装置は、従来、エレベーターの乗りかごの出入り口に隣接する位置に配置されるかご呼び登録等を行う運転盤の下部に、通常は施錠されている操作ボックスの内部に映像記録装置のハードディスクドライブを設置し、乗りかご上部に設けた監視カメラの映像信号を、乗りかごの天井上部に配設した信号処理装置を介してハードディスクドライブへ送信し記録させるように構成されている(特許文献１)。
【先行技術文献】
【特許文献】
【０００３】
【特許文献１】特開２００５−２３９３５５号公報
【発明の概要】
【発明が解決しようとする課題】
【０００４】
上記、特許文献１記載のエレベーターのかご内映像記録装置は、ハードディスクドライブを運転盤下部の操作ボックス内部に設けるため、既納品のエレベータ―に取付けるときは、操作ボックス内部の改造を必要とする問題があった。
【０００５】
また、操作ボックス内部にハードディスクドライブを設け、乗りかご天井上部に信号処理装置を設けるため、ハードディスクドライブと信号処理装置間の配線が長くなり、配線敷設に手間が掛かると共に、比較的配線が長くなるので、映像信号がノイズの影響を受け易く、鮮明な映像が提供できない虞があった。
【０００６】
また、かご内映像記録装置を保守する際、ハードディスクドライブと信号処理装置と監視カメラをそれぞれ点検する必要があり、かご内の運転盤下部とかごの天井上部とかご天井部の３箇所においての作業となり、手間が掛かるという問題があった。
【０００７】
本発明の目的は、既納品のエレベーターに対して、少ない加工で設置できるとともに、保守作業を容易に行えるエレベーターのかご内映像記録装置を提供することにある。
【課題を解決するための手段】
【０００８】
上記目的を解決するために、本発明は、エレベーターのかご内の天井に設置され、頂部に固定用のカメラねじ部を有する監視カメラと、この監視カメラが撮影したかご内の映像データを、着脱自在な記録媒体へ記録する記録装置と、前記天井に設けた通線用穴と、を備えたエレベーターのかご内映像記録装置において、上面に配線用の開口部と下面にカメラ装着穴を有する概直方体形状を成し、前記監視カメラと前記記録装置と電源装置を取り付けるとともに、上面に前記天井に設けたカメラ取り付け穴に間挿されるビスを螺着するねじ部を有する取り付け部と、この取り付け部の下面から下方へ所定長延在する複数本のスタッドボルトの下端に着脱自在に締結され、上面が開放された円柱状の筒体形状を成し、底面の中央部には、前記監視カメラを間挿するカメラ間挿穴を有し、前記取り付け部及び前記監視カメラの大部分を覆う外部カバーと、を備え、前記取り付け部の上面に設けられる配線用の前記開口部は、前記天井の前記通線用穴より大きくするとともに、前記取り付け部の上面に設けられる前記ねじ部は、前記取り付け部の側面より外側に所定長延在する縁面部に設けられ、前記監視カメラは、前記スタッドボルトの長さと前記外部カバーの高さ寸法により、前記外部カバーの底面に設けた前記カメラ聞挿穴より、所定寸法突出させたエレベーターのかご内映像記録装置である。
【発明の効果】
【０００９】
本発明によれば、かご内映像記録装置の取り付け作業における既設エレベーターの加工作業は、配線穴と取り付け部を締結するビス用の穴とを天井に設けるだけであるので、誰もが簡単且つ短時間に行える。
【００１０】
また、メモリーカードに記憶される監視カメラの映像データの確認等、かご内映像記録装置の保守作業は、外部カバーを外すことで、かご内にて一人で行える。
【図面の簡単な説明】
【００１１】
【図１】本発明のエレベーターのかご内映像記録装置の一一実施形態の装置構成を示す図２のＡ−Ａ断面図である。
【図２】本発明の一実施形態のエレベーターの乗場からかご内を見た図である。
【図３】本発明のエレベーターのかご内映像記録装置の一実施形態の取り付けを説明する断面図である。
【発明を実施するための形態】
【００１２】
以下、本発明の一実施形態を図１〜図３を用いて説明する。
【００１３】
図において、エレベーターのかご１の天井２の右側奥にはかご内映像記録装置３が設けられており、このかご内映像記録装置３は、かご１内部を撮影する監視カメラ４と、この監視カメラ４の映像データを記録する記録装置５と、監視カメラ４及び記録装置５へ直流電源を供給する電源装置６と、かご内映像記録装置３を天井２に固着するとともに、監視カメラ４と記録装置５と電源装置６を取り付ける取り付け部７と、円柱状の筒体形状を成し、取り付け部７及び監視カメラ４の大部分を覆う外部カバー８と、で構成されている。ここで、監視カメラ４の映像データは、記録装置５に着脱自在な記憶媒体であるメモリーカード５Ａに記録される。
【００１４】
また、監視カメラ４は、円筒形のカバー４Ａと、図示しないレンズを保護する半透明のドーム状の保護カバー４Ｂと、頂部に突出したねじ部４Ｃと、このねじ部４Ｃに螺着され、監視カメラ４を固着するナット４Ｄと、を有している。
【００１５】
また、取り付け部７は概直方体構造を成しており、上面７Ａには、後述する図示しない交流電源線を間挿する開口部７Ａａと、四隅にねじ部７Ａｂを設けた縁面部７Ａｃとを有している。
【００１６】
また、取り付け部７の底面７Ｂには、監視カメラ４のねじ部４Ｃを間挿するカメラ装着穴７Ｂａと、両端にねじ穴を有する所定長のスタッドボルト７Ｂｂが少なくとも１本取り付けられている。ここで、スタッドボルト７Ｂｂは外部カバー８を支持するものである。
【００１７】
また、取り付け部７の内側面には電源装置６が締結され、電源装置６が締結される側面と対向する外側面には、記録装置５をメモリーカード５Ａが下方に向けるようにして締結される。
【００１８】
また、外部カバー８は、上面が開放され、底面８Ａの中央部には、監視カメラ４の円筒形のカバー４Ａを間挿するカメラ間挿穴８Ａａと、スタッドボルト７Ｂｂに螺着されるビス９を間挿する図示しない複数の穴が設けられている。
【００１９】
次に、エレベーターのかご１の天井２へ、かご内映像記録装置３を取り付ける手順を説明する。
【００２０】
まず、取り付け部７の底面７Ｂに設けられるカメラ装着穴７Ｂａに監視カメラ４のねじ部４Ｃを間挿させ、ねじ部４Ｃにナット４Ｄを螺着させて監視カメラ４を取り付け、底面７Ｂに設けられる図示しない穴にビス９を間挿させスタッドボルト７Ｂｂを締結させる。
【００２１】
次に、取り付け部７の内側面に電源装置６を締結させるとともに、取り付け部７の外側面に記録装置５を締結させる。
【００２２】
次に、監視カメラ４のねじ部４Ｃの中央に設けられる図示しない映像信号出力線を記録装置５の図示しない映像信号入力端子に接続し、ねじ部４Ｃの中央に設けられる図示しない直流電源入力線を電源装置６の直流電源入力端子６Ａに接続するとともに、直流電源入力端子６Ａと記録装置５の図示しない直流電源入力端子との配線を行い、電源装置６の交流電源入力端子６Ｂへ図示しない交流電源線を接続する。
【００２３】
次に、天井２の上部に配置されている図示しないかご上機器を考慮して、かご内映像記録装置３の取り付け位置を決定し、配線穴２Ａの中点の位置と、この中点から所定寸法離れた位置に取り付け部７を締結するビス１０を間挿する複数の図示しない穴の位置とを罫書し、この罫書きしたそれぞれの位置に、所定径の穴あけ加工を行う。この作業は、天井２の上部で行う作業である。
【００２４】
次に、天井２に設けた配線穴２ Ａにブッシング２Ｂを装着し、電源装置６の交流電源入力端子６Ｂへ接続した図示しない交流電源線を、開口部７Ａａとブッシング２Ｂから天井２へ引き出し、ビス１０を図示しない穴に間挿させて縁面部７Ａｃに設けられるねじ部７Ａｂへそれぞれ締結し、かご１内の天井２に取り付け部７を取付ける。この作業は、かご１内と天井２上部とで、２名が連携して行うものである。
【００２５】
次に、交流電源入力端子６Ｂへ接続した図示しない交流電源線を、かご１の天井２上部に配設される図示しない交流電源端子に接続するとともに、記録装置５にメモリーカード５Ａを装着し、監視カメラ４と記録装置５と電源装置６を起動させ、図示しないモニタ装置を記録装置５に接続し、メモリーカード５Ａに記憶される監視カメラ４の映像データを確認する。この作業は、天井２上部で図示しない交流電源線を図示しない交流電源端子に接続する作業者と、かご１内で映像データの確認作業を行う作業者とが分担して行う。
【００２６】
次に、取り付け部７に外部カバー８を被せて、底面８Ａに設けた図示しない穴にビス９を間挿させ、スタッドボルト７Ｂｂに螺着させて外部カバー８を取り付け、かご内映像記録装置３を取り付け作業が完了する。ここで、スタッドボルト７Ｂｂの長さで監視カメラ４がカメラ間挿穴８Ａａから下方に突出する寸法が定まるが、監視カメラ４のカバー４Ａを若干突出させれば、意匠的に優れたものとなる。
【００２７】
また、スタッドボルト７Ｂｂの長さが定まれば、外部カバー８の上端部を天井２に接触するよう外部カバー８の高さを定めれば良い。
【００２８】
本実施例によれば、かご内映像記録装置３の取り付け作業における既設エレベーターの加工作業は、配線穴２Ａとビス１０を間挿する複数の図示しない穴を天井２に設けるだけであるので、誰もが簡単且つ短時間に行える。
【００２９】
また、監視カメラ４の映像信号を記録装置５へ出力する図示しない映像信号出力線は、かご内映像記録装置３内の配線となるので、図示しない映像信号出力線に対するノイズの影響を受ける心配が無く、メモリーカード５Ａに記憶される監視カメラ４の映像データの確認等、かご内映像記録装置３の保守作業を、かご１内にて一人で行える。
【符号の説明】
【００３０】
１  かご
２  天井
２Ａ  配線穴
２Ｂ  ブッシング
３  かご内映像記録装置
４  監視カメラ
４Ａ  カバー
４Ｂ  保護カバー
４Ｃ  ねじ部
４Ｄ  ナット
５  記録装置
５Ａ  メモリーカード
６  電源装置
６Ａ  直流電源入力端子
６Ｂ  交流電源入力端子
７  取り付け部
７Ａ  上面
７Ａａ  開口部
７Ａｂ  ねじ部
７Ａｃ  縁面部
７Ｂ  底面
７Ｂａ  カメラ装着穴
７Ｂｂ  スタッドボルト
８  外部カバー
８Ａ  底面
８Ａａ  カメラ間挿穴
９,１０  ビス
【図１】
2015016939.tif 000003
【図２】
2015016939.tif 000004
【図３】
2015016939.tif 000005